(57)【要約】【課題】炊飯器のフック解除構造の改良により蓋のコンパクト化を図ることである。【解決手段】フック解除ボタン７に設けたフック解除アーム３１の先端部をフックアーム１８の先端部下方に対向させ、フック解除アーム３１のフックアーム１８に対する係合開始点Ａの位置を、フックアームの回転中心となるフック軸１４を基準としてこれより低い位置に設定することにより、係合開始点Ａの位置が低くなった分だけ蓋のコンパクト化を図った。【選択図】図６
2005066029.tif 000002
【特許請求の範囲】
【請求項１】
蓋内部に水平のフック軸により蓋フック部材を回転可能に支持し、その蓋フック部材に炊飯器本体の係合部に係脱自在となるフックと前方に突き出して先端部が蓋前端面の開口に挿入されるフックアームとを設け、前記蓋前端面に対向した炊飯器本体にフック解除ボタンを前記フック軸と平行の軸により回転可能に支持し、そのフック解除ボタンに設けたフック解除アームの先端部を前記蓋前端面の開口にその外方から挿入して前記フックアーム先端部の下方に対向させ、前記フック解除アームの回転軌跡の途中で前記フックアームに対し一定の係合開始点で係合するとともに相互に係合しながら回転する一定の範囲を設けた炊飯器の蓋フック解除構造において、前記係合開始点の位置をフックアームとフック解除アームの両方の回転中心か、又はフックアームの回転中心を基準として、これより低い位置に設定したことを特徴とする炊飯器の蓋フック解除装置。
【発明の詳細な説明】
【技術分野】
【０００１】
この発明は、炊飯器における蓋のフック装置、特にそのフック解除構造に関するものである。
【背景技術】
【０００２】
炊飯器においては、炊飯器本体に開閉自在に取付けた蓋をヒンジばねにより開放方向に付勢しているので、その蓋に炊飯器本体側に係合するための蓋フックを設け、通常はその蓋フックを炊飯器本体の一部に係合させるようにしている。また、その係合を使用者の操作によって解除するために、炊飯器本体側にフック解除ボタンを設け、そのフック解除ボタンを操作して前記蓋フックの係合を解除し蓋をヒンジばねの付勢力により自動的に開放するようにしている（特許文献１）。
【０００３】
前記特許文献１の図３に示された構造では、フック解除ボタン（同文献では「ロック解除ボタン」と称している。）から後方に突き出し蓋の前端面に臨んだフック解除アームが、蓋フックから前方に延び出したフックアームの下面に係合した状態が示されている。この状態を係合開始点として、フック解除ボタンの操作に伴ってフック解除アームがフックアームを蹴り上げて蓋フックを回転させ炊飯器本体に対する係合を解除するようになっている。
【０００４】
上記の場合は当初からフック解除アームとフックアームが接触して遊びがないため、フック解除ボタンに少し触れても蓋フックの係合が解除される不具合があるため、通常は両者の間に若干の遊びを設けた構造が採用されている。図１１はその一例であり、蓋５１の前端部と炊飯器本体５２の操作部近辺を図示している。蓋５１の内部に水平のフック軸５３で蓋フック５４が回動可能に支持され、その蓋フック５４に設けたＬ形のフック５５がフック軸５３よりも下方に垂下される。また蓋フック５４に設けたフックアーム５６がフック軸５３よりも前方に水平に突き出し、その先端部が蓋前端面の開口５７にその内方から差し込まれる。
【０００５】
一方、前記の炊飯器本体５２の操作表示部においては、前記の蓋フック５４の前方において、前記フック軸５３と平行の軸５９によってフック解除ボタン５８が回動可能に支持される。フック解除ボタン５８には炊飯器本体５２の操作表示部上に突き出した操作突起部６１が設けられ、また軸５９からフック解除アーム６０が後方にほぼ水平に突き出し、開口５７の内部においてフックアーム５６の下方に所要の遊びａをもって対向している。
【０００６】
蓋５１を開放する場合は、使用者がフック解除ボタン５８の操作突起部６１に指を掛けて押し下げると、フック解除ボタン５８が回動し、フック解除アーム６０が前記の遊びａ分だけ回動してフックアーム５６にＡ点で係合しこれを蹴り上げる（以下Ａ点を係合開始点と称する。）。フックアーム５６の回動に伴いフック５５も回動して炊飯器本体１側の係合凹部６１から外れる。その係合が外れることにより、蓋５１はヒンジばねの付勢力により開放される。
【特許文献１】特開平９−２５２９３８号公報（段落００４５、図２、図３）
【発明の開示】
【発明が解決しようとする課題】
【０００７】
蓋５１の全体の厚さを図１１に直接示すことはできないが、図示のようにフック軸５３の下方に適宜水平の基準線Ｌを定めるとともに、フック軸５３を通る垂線Ｐと蓋５１の表面との交点Ｐ1を定めた場合、基準線Ｌに対する交点Ｐ1の高さＨは蓋５１の相対的な高さを示すものである。なお、フック軸５３の基準線Ｌに対する高さをＨ0、回転支軸５９の基準線Ｌに対する高さをｈ0で示す。
【０００８】
いま、基準線Ｌから係合開始点Ａまでの高さをＨ1（実質的に前記のＨ0に等しい。）、係合開始点Ａから交点Ｐ1までの高さをＨ2とした場合、Ｈ2は現在のところ必要最小限の数値に設計されており、これを小さくして全体の高さＨを小さくすることは、大きな設計変更が必要となるため蓋のコンパクト化の早急な要請には間に合わない。
【０００９】
そこで、この発明は前記の高さＨ2を一定に維持しつつ前記のフック解除構造を改善することにより、Ｈ1を小さくして全体の高さＨを小さくすることにより蓋のコンパクト化を図ることを課題とする。
【課題を解決するための手段】
【００１０】
前記の課題を解決するために、この発明は、蓋内部に水平のフック軸により蓋フック部材を回転可能に支持し、その蓋フック部材に炊飯器本体の係合部に係脱自在となるフックと前方に突き出して先端部が蓋前端面の開口に挿入されるフックアームとを設け、前記蓋前端面に対向した炊飯器本体にフック解除ボタンを前記フック軸と平行の軸により回転可能に支持し、そのフック解除ボタンに設けたフック解除アームの先端部を前記蓋前端面の開口にその外方から挿入して前記フックアーム先端部の下方に対向させ、前記フック解除アームの回転軌跡の途中で前記フックアームに対し一定の係合開始点で係合するとともに相互に係合しながら回転する一定の範囲を設けた炊飯器の蓋フック解除構造において、前記係合開始点の位置をフックアームとフック解除アームの両方の回転中心か、又はフックアームの回転中心を基準として、これより低い位置に設定した構成とした。
【００１１】
上記の構成によると、フック解除アームとフックアームの係合開始点Ａが従来の場合より低くなるので、前記の高さＨ2を一定に維持しつつ係合開始点Ａが低くなった分だけ高さＨ1を従来より低くできる。その結果、全体の高さＨ、即ち蓋の厚さを従来よりコンパクト化することができる。
【００１２】
この発明では、係合開始点Ａに着目し、この点を相対的に低い位置に設定することにより前記の課題を解決するものである。その係合開始点Ａの位置を従来の場合と区別して規定するため、従来の場合は係合開始点Ａがフック解除アームとフックアームの回転中心と同程度か又は高い位置に設定している（図１１参照）。これに対し、この発明においては、フックアームとフック解除アームの両方の回転中心か、又はフックアームの回転中心のいずれか一方を基準として、即ち少なくともフックアームの回転中心より低い位置に設定することによって、係合開始点Ａの位置を従来より低く設定したものである。
【発明の効果】
【００１３】
上記のように、この発明は、フック解除アームのフックアームに対する係合開始点の位置を従来の場合より、少なくともフックアームの回転中心を基準としてそれより低い位置に設定することにより、その係合開始点より上方の高さＨ2を一定に維持しつつ蓋のコンパクト化を図ることができる。
【発明を実施するための最良の形態】
【００１４】
以下、添付図面に基づいてこの発明を実施するための最良の形態を説明する。
【実施例１】
【００１５】
図１はジャー式の圧力炊飯器の一例を示している。この炊飯器は、炊飯器本体１と、ヒンジピン２（図２参照）により炊飯器本体１に開閉自在に取付けられた蓋３と、炊飯器本体１の両側面に回転自在に取付けられたハンドル４とからなる。炊飯器本体１に炊飯鍋５が収納される。炊飯器本体１の前部上面部に操作表示部６が設けられ、その中央部の最も蓋３に近い部分にフック解除ボタン７が設けられる。
【００１６】
蓋３は、図２及び図３に示したように、蓋リング８に蓋上部材９を嵌合しビス１１で固定し一体化したものである。蓋リング８の下面に放熱板セット１２が着脱自在に取付けられる。蓋３はヒンジピン２の周りに装着したヒンジばね１３により開放方向に付勢されている。図２に示したように、蓋リング８の上面に金属製の補強板２０が固定され、その補強板２０の前端部に蓋３の前端面に沿って水平のフック軸１４が回転自在に支持され、そのフック軸１４にフック部材１５が固定される。
【００１７】
フック部材１５は、フック軸１４の上部に沿った基部１６の下面に軸受部１７（図６（ａ）参照）を設けるとともに、基部１６の前縁に左右一対のフックアーム１８、１８を設け（図４参照）、更に各フックアーム１８、１８の外側に垂下されたＬ字形のフック１９、１９が設けられる。各フックアーム１８は、逆くの字形に屈曲して斜め下方前方に延び出し、その先端部は蓋前端面を構成する蓋リング８とこれに嵌合された蓋上部材９の前端縁とによって形成された開口２１にその内方から差し込まれる。また、各フック１９は蓋３の閉鎖時に炊飯器本体１の係合凹部２２に係合される（図６（ａ）参照）。前記のフック軸１４の周りにフックばね２３が装着され、そのばね力によりフック部材１５をフック１９が係合凹部２２に係合する方向に付勢する。
【００１８】
前記のフック部材１５の下面において、左右のフックアーム１８、１８の間に放熱板セット１２の検知部材２５が配置され、図１に示したように、蓋リング８の下面に露出している。この検知部材２５は、前記のフック軸１４により前後方向に揺動自在に支持される（図７（ａ）参照）。検知部材２５は放熱板セット１２が装着された際にその係合突起２６に係合されて前方に傾斜し、蓋３の開閉の妨げとはならない。しかし、放熱板セット１２の装着忘れがあった際には、検知部材２５がそれ自体に付設したばね２７により下向きの姿勢に戻るため、蓋３の閉鎖時にその下端が炊飯鍋５のフランジ５ａに当る（図７（ｂ）参照）。このため、蓋３が完全に閉まらず、フック１９が係合されないため、蓋３から手を離すと、蓋３がヒンジばね１３により開放される。これにより使用者に対し放熱板セット１２の装着忘れがあることを気付かせることができる。
【００１９】
この場合、万一使用者が上記の機能の不知などの理由で、蓋３に過度な荷重を加えた場合、当該検知部材２５等の部品が変形又は破壊されるのを防ぐために、検知部材２５の下向き姿勢に若干外方へ傾斜した角度θをつけるようにその姿勢を規制する（図７（ｂ）参照）。このようにしておくと、垂直方向下向きの一定以上の大きい荷重が作用した際に検知部材２５がその傾斜方向に倒れるため、該検知部材２５等の変形や破損が防止される。検知部材２５が倒れると蓋３が閉鎖されるためフック１９が係合され、放熱板セット１２がないまま炊飯は行われる可能性はあるが、部品の損壊は免れる。放熱板セット１２の装着忘れは、次回の炊飯時等において発見されるので、特に問題とはならない。
【００２０】
次に、炊飯器本体１の操作表示部６に取付けた前述のフック解除ボタン７について説明する。フック解除ボタン７は、図５に示したように、操作表示部６の面から上方に突き出した操作突起部２８を有するとともに、左右両側面に回転支軸２９、２９が突設され、また、その回転支軸２９、２９の高さから後方斜め下向きに突き出した左右一対のフック解除アーム３１、３１が設けられる。操作表示部６には、取付け凹部３２が設けられ、その取付け凹部３２の左右の内側面に軸受部３３、３３が設けられる。各軸受部３３は取付け凹部３２に嵌入されたフック解除ボタン７の回転支軸２９、２９を水平状態に回転自在に支持する。また、取付け凹部３２の底面に装着したばね３４の一端部をフック解除ボタン７の一部に押し当て、該ボタン７に対して蓋３側に回転する方向の付勢力を及ぼす。左右のフック解除アーム３１、３１の間隔は前記フック部材１５のフックアーム１８、１８の間隔に一致する。
【００２１】
前記の各フック解除アーム３１の先端部は、図６（ａ）に示したように、その回転支軸２９の中心から一定距離ｙだけ下方に位置し、前述した蓋前端面の開口２１にその外方から差し込まれ、フックアーム１８の先端部下方に若干の遊びａを置いて対向する。
【００２２】
図８は、上記のフック解除アーム３１が遊びａ分だけ回転することによりフックアーム１８に係合する点、即ち係合開始点Ａを示している（同様の係合開始点Ａを図６（ａ）にも示した。）。また、係合開始点Ａは、フック軸１４に対しても、また回転支軸２９に対してもそれぞれこれらの下方にあって、一定の距離ｘ、ｙだけ離れている。
【００２３】
両者の係合点はフック解除アーム３１前端の一定の軌跡Ｓ上に存在するが、係合開始点Ａからフック解除アーム３１が接線方向の力Ｆを及ぼして一定角度αだけ回転した場合にフック１９が係合凹部２２から外れる（二点鎖線で示したフック１９参照）。この場合、フックアーム１８の先端部の長さは、フック解除アーム３１に係合して少なくとも前記の回転角度αだけ回転する間は、その係合関係を保持できるように先端が前記軌跡Ｓの内側（回転支軸２９側）にあるように設定される。フックアーム１８が一点鎖線で示したように大きく屈曲した形状の場合でも同様である。
【００２４】
図９（ａ）は、先に示した図６（ａ）と同じ図面に寸法関係のみを示し、図１１に示した従来例のものとの寸法関係の相違を示したものである。フック軸１４の高さＨ0、回転支軸２９の高さｈ0を従来と同じ高さに維持し、かつ係合開始点Ａから交点Ｐ1までの高さＨ2を従来と同一に維持している。しかし、基準線Ｌから係合開始点Ａまでの高さＨ1は、従来の場合より前記の距離ｘ（フック軸１４から係合開始点Ａまでの距離）だけ小さくなっている。要するに、係合開始点Ａの位置が低くなった分だけＨ1が小さくなったわけである。
【００２５】
なお、係合開始点Ａの位置を下げるためには、前記のようにフックアーム１８の先端部の位置をその回転中心（フック軸１４）から下方へｘだけ下げる構成のほかに、フック解除アーム３１の先端部の位置もその回転中心（回転支軸２９）より下方へｙだけ下げる構成が必要である。
【００２６】
なお、図９（ｂ）に示したように、係合開始点Ａが回転支軸２９よりｙだけ上方にある場合もある。但し、係合開始点Ａがフック軸１４よりｘだけ下方にある関係は前記と同様である。この場合でも前記と同様にＨ2を従来と同様の大きさに維持しつつＨ1を小さくすることができる。
【００２７】
図１０（ａ）は前述したフック１９の係合部２２の変形例を示している。この場合の係合部２２は、炊飯鍋５のフランジを支持する炊飯器本体１の一部品である肩部材１ａに設けられ、その肩部材１ａの周壁部分を貫通して設けられる。フック１９はその貫通部分の外端部に係合される。貫通部の内端は周壁の内面、即ち炊飯鍋５の外周面と対向した面に開放される。
【００２８】
前記の係合部２２は、フック１９の先端部を確実に受け入れるために、底面とフック１９の間に若干の余裕すき間ｄをもつように形成されるが、この余裕すき間ｄを得るために、従来は、肩部材１ａ上の基準平面３５を基準にして、係合部２２の底面２２ａの高さｈを１．０ｍｍとする設計基準が取られていたが、１．５ｍｍ乃至これを若干超える程度の高さに設定し、可及的にｄを小さくすることが飯粒などの侵入を防ぐうえで望ましい。さらに、図１０（ｂ）に示したように、底面２２ａをその奥に至る程下降するような傾斜面にすると、飯粒などが内部に滞留することなく、内面側の開放端から鍋収納部３６側に移動しやすくなり、鍋収納部３６に落下した際にふき取ることができる。
【図面の簡単な説明】
【００２９】
【図１】実施例１の蓋開放状態の斜視図
【図２】同上の蓋上部材を省略した蓋の平面図
【図３】同上の蓋の断面図
【図４】同上の蓋部分の一部省略斜視図
【図５】同上のフック解除ボタン部分の分解斜視図
【図６】（ａ）同上のフック解除構造の係合状態の断面図、（ｂ）（ａ）図の係合解除状態の断面図
【図７】（ａ）同上の放熱板セット検知構造の断面図、（ｂ）（ａ）図の放熱板未セット状態の断面図
【図８】同上のフック解除構造の一部拡大図
【図９】（ａ）同上のフック解除構造部分の寸法関係の説明図、（ｂ）一部変形したフック解除構造部分の寸法関係の説明図
【図１０】（ａ）同上のフック係合部分の断面図、（ｂ）同上のフック係合部分の変形例の断面図
【図１１】従来例のフック解除構造の断面図
【符号の説明】
【００３０】
１  炊飯器本体
１ａ  肩部材
２  ヒンジピン
３  蓋
４  ハンドル
５  炊飯鍋
６  操作表示部
７  フック解除ボタン
８  蓋リング
９  蓋上部材
１１  ビス
１２  放熱板セット
１３  ヒンジばね
１４  フック軸
１５  フック部材
１６  基部
１７  軸受部
１８  フックアーム
１９  フック
２０  補強板
２１  開口
２２  係合凹部（係合部）
２２ａ  底面
２３  フックばね
２５  検知部材
２６  係合突起
２７  ばね
２８  操作突起部
２９  回転支軸
３１  フック解除アーム
３２  取付け凹部
３３  軸受部
３４  ばね
３５  基準平面
３６  鍋収納部
【図１】
2005066029.tif 000003
【図２】
2005066029.tif 000004
【図３】
2005066029.tif 000005
【図４】
2005066029.tif 000006
【図５】
2005066029.tif 000007
【図６】
2005066029.tif 000008
【図７】
2005066029.tif 000009
【図８】
2005066029.tif 000010
【図９】
2005066029.tif 000011
【図１０】
2005066029.tif 000012
【図１１】
2005066029.tif 000013